(57)【要約】【課題】原稿を読み取って、画像データを取得する複合機に画像の形成方法を設定し、設定された形成方法で画像を外部の画像形成装置に形成させることができる画像形成システムを提供する。【解決手段】原稿を読み取って得られた画像データを外部の記憶装置に記憶させる複合機１と、画像形成装置６と、前記記憶装置が記憶した画像データに基づいて、外部の画像形成装置６による画像形成を制御する端末装置３とを備える画像形成システムにおいて、複合機１に、用紙サイズ、部数等を受け付ける受付手段と、画像データに、受付手段が受け付けた情報を含むファイル名を付す手段と、該ファイル名が付された画像データを記憶装置に記憶させる手段とを備え、端末装置３に、前記記憶装置が記憶した画像データのファイル名が含む情報に基づいて、画像形成を制御する手段を備える。【選択図】図１
2007194857.tif 000002
【特許請求の範囲】
【請求項１】
原稿を読み取って得られた画像データを記憶装置に記憶させる画像読取装置と、画像を用紙に形成する画像形成装置と、前記記憶装置が記憶した画像データに係る画像を形成するように前記画像形成装置による画像形成を制御する制御装置とを備える画像形成システムにおいて、
前記画像読取装置は、
画像の形成方法に関する情報を受け付ける受付手段と、
読み取って得られた画像データに、前記受付手段が受け付けた情報を含むファイル名を付す手段と、
前記ファイル名が付された画像データを前記記憶装置に記憶させる手段と
を備え、
前記制御装置は、
画像データのファイル名が含む情報に基づいて、前記画像形成装置による画像形成を制御する手段を備える
ことを特徴とする画像形成システム。
【請求項２】
前記受付手段は、
形成する部数、用紙の大きさ、又は用紙のソートを要するか否かを示す前記情報を受け付けるようにしてある
ことを特徴とする請求項１に記載の画像形成システム。
【請求項３】
原稿を読み取って得られた画像データを外部の記憶装置に記憶させる画像読取装置において、
外部の画像形成装置による画像の形成方法に関する情報を受け付ける受付手段と、
読み取って得られた画像データに、前記受付手段が受け付けた情報を含むファイル名を付す手段と、
前記ファイル名が付された画像データを前記記憶装置に記憶させる手段と
を備えることを特徴とする画像読取装置。
【請求項４】
前記受付手段は、
形成する部数、用紙の大きさ、又は用紙のソートを要するか否かを示す前記情報を受け付けるようにしてある
ことを特徴とする請求項３に記載の画像読取装置。
【請求項５】
記憶装置が記憶した画像データに係る画像を形成するように画像形成装置による画像形成を制御する制御装置において、
前記記憶装置が記憶している画像データのファイル名が含む情報に基づいて、前記画像形成装置による画像形成を制御する制御手段を備える
ことを特徴とする制御装置。
【請求項６】
前記制御手段は、
前記ファイル名が含む、形成する部数、用紙の大きさ、又は用紙のソートを要するか否かを示す情報に基づいて画像形成を制御するようにしてある
ことを特徴とする請求項５に記載の制御装置。
【発明の詳細な説明】
【技術分野】
【０００１】
本発明は、原稿を読み取って得られた画像データを記憶装置に記憶させる画像読取装置、画像を用紙に形成する画像形成装置、及び記憶装置が記憶した画像データに係る画像を形成するように画像形成装置による画像形成を制御する制御装置を備えた画像形成システム、並びに該画像形成システムを構成する画像読取装置及び制御装置に関する。
【背景技術】
【０００２】
ネットワークプリンタ機能を実現すべく、原稿を読み取って画像データを取得する画像読取装置、例えばスキャナ機能を有する複合機、記憶装置を有するパーソナルコンピュータのような制御装置、及び画像形成装置をネットワークを介して接続し、画像読取装置が取得した画像データに係る画像を画像形成装置にて形成するように構成した画像形成システムが提案されている。
【０００３】
画像読取装置、制御装置及び画像形成装置はＬＡＮを介して接続されており、画像読取装置は、原稿の画像データを取得した場合、取得した画像データを外部の記憶装置に記憶させる。制御装置は、記憶装置が記憶している画像データを監視しており、記憶装置が画像データを記憶した場合、該画像データを画像形成装置に与え、画像形成装置による画像形成を制御する。
【０００４】
このように構成された画像形成システムにおいては、画像読取装置がカラーで画像を形成する機能を備えない場合であっても、画像形成装置が前記機能を備えていれば、画像読取装置で取得した画像データに係る画像を、画像形成装置を利用してカラーで形成することができる。
また、制御装置は、記憶装置を監視し、記憶装置が画像データを記憶した場合、該画像データに基づいて、画像形成装置に画像形成させるため、画像形成システムの使用者は、制御装置を操作することなく、画像読取装置から直接、画像形成装置に画像を形成させることができる。
更に、画像形成装置による画像形成の制御を外部の制御装置が行うように構成しているため、ＬＡＮに接続された画像形成装置のプリンタドライバを画像読取装置にインストールすることなく、画像読取装置で取得した画像を画像形成装置に形成させることができる。
【特許文献１】特開２００２−１４０２７３号公報
【発明の開示】
【発明が解決しようとする課題】
【０００５】
しかしながら、従来の画像形成システムにおいては、画像読取装置で取得した画像データに係る画像を外部の画像形成装置に形成させる場合、形成する部数、用紙サイズ、用紙のソートを要するか否かを設定することができないという問題があった。
従って、部数、用紙サイズ、ソートを要するか否かを設定して画像形成装置に画像を形成させるためには、画像読取装置で取得した画像データを制御装置の記憶装置に記憶させ、制御装置に部数、用紙サイズ、ソートを要するか否かを設定し、画像形成を制御させる必要があった。この問題は、画像読取装置と制御装置とが離れた場所に設置されている場合、より深刻になる。
【０００６】
本発明は、斯かる事情に鑑みてなされたものであり、画像読取装置が画像の形成方法に関する情報を受け付け、該情報を含むファイル名を付した画像データを記憶装置に記憶させ、制御装置が、画像データ及び該画像データのファイル名に含まれた情報に基づいて、画像形成装置による画像形成を制御するように構成することにより、原稿を読み取る画像読取装置にて画像の形成方法を設定し、設定された形成方法で外部の画像形成装置に画像を形成することができる画像形成システム、並びに該画像形成システムを構成する画像読取装置及び制御装置を提供することを目的とする。
【０００７】
また、本発明の他の目的は、画像を形成する部数、用紙の大きさ、又はソートを要するか否かを示す情報を含むファイル名を画像データに付すように構成することにより、原稿を読み取る画像読取装置にて部数、用紙サイズ、ソートを要するか否かを設定し、設定された形成方法で外部の画像形成装置に画像を形成させることができる画像形成システム、並びに該画像形成システムを構成する画像読取装置及び制御装置を提供することを目的とする。
【課題を解決するための手段】
【０００８】
第１発明に係る画像形成システムは、原稿を読み取って得られた画像データを記憶装置に記憶させる画像読取装置と、画像を用紙に形成する画像形成装置と、前記記憶装置が記憶した画像データに係る画像を形成するように前記画像形成装置による画像形成を制御する制御装置とを備える画像形成システムにおいて、前記画像読取装置は、画像の形成方法に関する情報を受け付ける受付手段と、読み取って得られた画像データに、前記受付手段が受け付けた情報を含むファイル名を付す手段と、前記ファイル名が付された画像データを前記記憶装置に記憶させる手段とを備え、前記制御装置は、画像データのファイル名が含む情報に基づいて、前記画像形成装置による画像形成を制御する手段を備えることを特徴とする。
【０００９】
第２発明に係る画像形成システムは、前記受付手段が、形成する部数、用紙の大きさ、又は用紙のソートを要するか否かを示す前記情報を受け付けるようにしてあることを特徴とする。
【００１０】
第３発明に係る画像読取装置は、原稿を読み取って得られた画像データを外部の記憶装置に記憶させる画像読取装置において、外部の画像形成装置による画像の形成方法に関する情報を受け付ける受付手段と、読み取って得られた画像データに、前記受付手段が受け付けた情報を含むファイル名を付す手段と、前記ファイル名が付された画像データを前記記憶装置に記憶させる手段とを備えることを特徴とする。
【００１１】
第４発明に係る画像読取装置は、前記受付手段が、形成する部数、用紙の大きさ、又は用紙のソートを要するか否かを示す前記情報を受け付けるようにしてあることを特徴とする。
【００１２】
第５発明に係る制御装置は、記憶装置が記憶した画像データに係る画像を形成するように画像形成装置による画像形成を制御する制御装置において、前記記憶装置が記憶している画像データのファイル名が含む情報に基づいて、前記画像形成装置による画像形成を制御する制御手段を備えることを特徴とする。
【００１３】
第６発明に係る制御装置は、前記制御手段が、前記ファイル名が含む、形成する部数、用紙の大きさ、又は用紙のソートを要するか否かを示す情報に基づいて画像形成を制御するようにしてあることを特徴とする。
【００１４】
第１、第３及び第５発明にあっては、画像読取装置の受付手段が画像の形成方法に関する情報を受け付ける。そして、画像読取装置は、読み取って得られた画像データに、受付手段が受け付けた情報を含むファイル名を付して、記憶装置に記憶させる。従って、画像データ、特にファイル名から画像の形成方法に関する情報を取得することができる。
制御装置は、記憶装置が記憶している画像データのファイル名に含まれる情報に基づいて、画像形成装置による画像形成を制御する。
従って、制御装置に画像の形成方法に関する情報を設定する必要はなく、原稿の画像データを取得する画像読取装置に前記情報を設定することで、画像を前記情報に基づいて画像形成装置に形成させることができる。
【００１５】
第２、第４及び第６発明にあっては、画像の形成方法に関する情報は、形成する画像の部数、形成する用紙の大きさ、又はソートを要するか否かを示す情報を有するため、画像読取装置に前記情報を設定した場合、制御装置は、画像データのファイル名に含まれる該情報に基づいて、画像形成装置による画像形成を制御する。
【発明の効果】
【００１６】
本発明によれば、制御装置に画像の形成方法を設定することを必要とせず、原稿の画像データを取得する画像読取装置に画像の形成方法を設定し、設定された形成方法で画像形成装置に画像を形成させることができる。
また、画像の形成方法に関する情報と、画像データとを別個に処理する場合に比べて、より簡易な処理で上述の効果を得ることができる。
【００１７】
本発明によれば、制御装置に形成する部数、用紙サイズ、ソートを要するか否かを設定することを必要とせず、原稿の画像データを取得する画像読取装置に部数、用紙サイズ、ソートを要するか否かを設定し、設定された形成方法で画像形成装置に画像を形成させることができる。
【発明を実施するための最良の形態】
【００１８】
以下、本発明をその実施の形態を示す図面に基づいて詳述する。
図１は、本発明の実施の形態に係る画像形成システムの構成を示すブロック図である。実施の形態に係る画像形成システムは、スキャナ機能、コピー機能等を有する複合機１（画像読取装置）、記憶装置３３を備えた端末装置３（制御装置）、及び画像形成装置６から構成されており、複合機１、端末装置３及び画像形成装置６はＬＡＮ４を介して接続されている。
【００１９】
複合機１は、ＣＰＵを有する制御部１１、原稿を読み取り、原稿の画像データを取得する読取部１３、取得した画像データを一時的に蓄積する画像メモリ１６、及び画像メモリ１６に蓄積された画像データに基づいて、画像を用紙に形成、つまり印刷するプリンタ部１５を備えている。制御部１１は、バス２４を介して画像データの取得及び形成を制御することで、コピー機能を実現するように構成されている。
【００２０】
バス２４には、ＲＯＭ１８及びＲＡＭ２０が接続されている。ＲＯＭ１８は、フラッシュメモリからなり、複合機１の動作に必要な各種制御プログラムを格納している。制御部１１は、ＲＯＭ１８に格納されている制御プログラムをＲＡＭ２０に読み出して実行することにより、複合機１のコピー機能、スキャナ機能等の各種機能を実現する。
【００２１】
読取部１３は、原稿に光を照射する光源、原稿で反射された反射光を電気信号に変換するラインＣＣＤ等の光学素子を備えており、ラインＣＣＤが変換した電気信号に基づいて原稿の画像データを取得する。そして、読取部１３は、取得した画像データを画像メモリ１６に与える。
【００２２】
プリンタ部１５は、感光ドラム、定着器等を備える電子写真方式のプリンタ装置であって、画像形成処理用のプログラムを格納した図示しないフラッシュＲＯＭを備えており、フラッシュＲＯＭに格納されたプログラムに従って、画像データに係る画像を用紙に形成する。
【００２３】
また、複合機１は、ファクシミリ通信により画像データを送受信するためのＮＣＵ（Ｎｅｔｗｏｒｋ  Ｃｏｎｔｒｏｌ  Ｕｎｉｔ）１２及びモデム１４、並びに送受信される画像データを所定の符号化方式、例えばＭＨ，ＭＲ，ＭＭＲ等の符号化方式に従って符号化及び復号化する符号化・復号化部２２を備えており、制御部１１は、画像データの送受信、原稿の読み取り、画像形成を制御することで、ファクシミリ機能を実現する。
【００２４】
モデム１４は、バス２４に接続されており、公衆電話回線網（ＰＳＴＮ：Ｐｕｂｌｉｃ  Ｓｗｉｔｃｈｅｄ  Ｔｅｌｅｐｈｏｎｅ  Ｎｅｔｗｏｒｋ）から入力されたアナログの画像データをデジタルの画像データに復調し、また制御部１１の制御によってバス２４を介して画像メモリ１６から与えられた画像データをアナログの信号に変調する機能を備えている。
【００２５】
ＮＣＵ１２は、公衆電話回線網との回線５の閉結及び開放の動作を行うハードウェアであり、制御部１１の制御に応じてモデム１４とＰＳＴＮとを接続する。
【００２６】
符号化・復号化部２２は、制御部１１の制御に応じて、読取部１３が読み取った画像データを符号化して、符号化した画像データをモデム１４に与える。また、符号化・復号化部２２は、ファクシミリ通信にて受信した画像データを復号化して、画像メモリ１６に蓄える。
【００２７】
更に、複合機１は、バス２４に接続されたＬＡＮインタフェース２１を備えている。ＬＡＮインタフェース２１には、ＬＡＮ４を介して端末装置３及び画像形成装置６が接続されている。
画像形成装置６は、複合機１のプリンタ部１５と同様の電子写真方式のプリンタ装置であり、画像データに基づいて、画像データに係る画像を形成するように構成されている。また、画像形成装置６は用紙をソートするソート機能を備えている。
【００２８】
また、バス２４には、複合機１を操作するための操作部１９、表示部１７、及び日時を計時する時計部２３が接続されている。表示部１７は、複合機１の動作状態、複合機１を操作するためのソフトキーを表示する液晶ディスプレイを備えている。
【００２９】
操作部１９は、表示部１７に対向配置された抵抗膜方式、又は静電容量方式のタッチパネル１９ａを備え、表示部１７に表示されたソフトキーの操作を受け付け、制御部１１がタッチパネル１９ａの操作状態を検出することができるように構成されている。
また、操作部１９は、押しボタン式のキー、例えば印刷する画像の部数を設定するためのテンキー１９ｂ、スタートキー１９ｃ等を備えている。
【００３０】
図２は、端末装置３の構成を示すブロック図である。
端末装置３は、例えばパーソナルコンピュータであり、タイマー機能を有する制御部３１、ＲＯＭ３２、ＲＡＭ３４、記憶装置３３、及びＬＡＮインタフェース３５を備えており、ＲＯＭ３２、ＲＡＭ３４、記憶装置３３、及びＬＡＮインタフェース３５は、バス３８を介して制御部３１に接続されている。端末装置３と、外部の複合機１及び画像形成装置６とは、ＬＡＮ４を介して、各種データを送受信することができるように構成されている。
記憶装置３３は、例えばハードディスクから構成されており、記憶装置３３は、ＬＡＮ４を介して複合機１からアクセス可能な共有フォルダを記憶することができる。ＲＯＭ３２及び記憶装置３３は、制御部３１の動作に必要なプログラム、例えば画像形成装置６のプリンタドライバを記憶しており、制御部３１は、ＲＯＭ３２及び記憶装置３３が記憶しているプログラムをＲＡＭ３４に読み出して実行することにより、記憶装置３３が記憶している画像データ及び形成方法に関する情報に基づいて、画像形成装置６による画像形成を制御するように構成されている。
【００３１】
更に、バス３８には、液晶ディスプレイ等の表示装置７が接続される第１インタフェース３６と、マウス、キーボード等の入力装置８が接続される第２インタフェース３７とが接続されている。
【００３２】
図３は、画像の形成方法に関する情報の受け付けに係る制御部１１の処理手順を示すフローチャートである。
複合機１の制御部１１は、テンキー１９ｂの操作状態を検出することで、形成する画像の部数を受け付け（ステップＳ１１）。次いで、制御部１１は、タッチパネル１９ａの操作状態を検出することで、用紙サイズ、例えばＡ３、Ａ４、Ｂ４等の用紙サイズを受け付ける（ステップＳ１２）。更に、制御部１１は、タッチパネル１９ａの操作状態を検出することで、ソートを要するか否かを受け付ける（ステップＳ１３）。
【００３３】
次いで、制御部１１は、スタートキー１９ｃの操作状態を検出することで、原稿の読み取り開始を受け付けたか否かを判定する（ステップＳ１４）。読み取り開始を受け付けたと判定した場合（ステップＳ１４：ＹＥＳ）、制御部１１は、時計部２３の計時結果を取得する（ステップＳ１５）。読み取り開始を受け付けていないと判定した場合（ステップＳ１４：ＮＯ）、制御部１１は、処理をステップＳ１１に戻す。
【００３４】
ステップＳ１５の処理を終えた場合、制御部１１は、取得した原稿の枚数を示す変数Ｎに１を代入する（ステップＳ１６）。
【００３５】
次いで、制御部１１は、原稿を読み取ることで画像データを取得し（ステップＳ１７）、取得した画像データを圧縮符号化する（ステップＳ１８）。例えば、画像データをＪＰＥＧ形式の画像データに圧縮符号化する。
【００３６】
そして、制御部１１は、他の原稿があるか否かを判定する（ステップＳ１９）。例えば、制御部１１は、画像データを取得してから所定時間以内にスタートキー１９ｃの操作を検出した場合、他の原稿があると判定し、所定時間を経過するまでの間、スタートキー１９ｃが操作されない場合、他の原稿がないと判定する。
他の原稿があると判定した場合（ステップＳ１９：ＹＥＳ）、制御部１１は、圧縮した画像データのファイル名として、画像データを取得した日時、ジョブＩＤ、ソートを要するか否かを示すソート要否データ、部数、用紙サイズ、及び原稿のページ数Ｎを含むファイル名を付す（ステップＳ２０）。
例えば、「２００５１２１３１２００＿００００００００００１＿Ｓ＿００２＿Ａ４＿０００１．ｊｐｇ」のファイル名を付す。「２００５１２１３１２００」は２００５年、１２月１３日、１２時、００分の日時の情報を示しており、「００００００００００１」はジョブＩＤ、「Ｓ」はソートを要することを示すソート要否データ、「００２」は部数、「Ａ４」は用紙サイズ、「０００１」はページ数Ｎを示している。
なお、ソートを要しない場合、「Ｓ」の文字に代えて「ＮＳ」の文字のソート要否データを含むファイル名を画像データに付す。
【００３７】
ステップＳ２０の処理を終えた場合、制御部１１は、Ｎに１を加算し（ステップＳ２１）、処理をステップＳ１７に戻す。
【００３８】
他の原稿がないと判定した場合（ステップＳ１９：ＮＯ）、制御部１１は、圧縮した画像データのファイル名として、画像データを取得した日時、ジョブＩＤ、ソート要否データ、部数、用紙サイズ、及び原稿のページ数Ｎ、最終ページであることを示す情報を含むファイル名を付す（ステップＳ２２）。
例えば、「２００５１２１３１２００＿００００００００００１＿Ｓ＿００２＿Ａ４＿０００２Ｅ．ｊｐｇ」のファイル名を付す。「０００２Ｅ」はページ数を示すと共に「Ｅ」の文字が、最終ページであることを示している。
【００３９】
ステップＳ２２の処理を終えた場合、制御部１１は、ステップＳ２０又はステップＳ２２でファイル名を付した画像データを記憶装置３３へ、ＳＭＢ（Ｓｅｒｖｅｒ  Ｍｅｓｓａｇｅ  Ｂｌｏｃｋ）プロトコルで送信することによって、記憶装置３３の所定の共有フォルダに記憶させ（ステップＳ２３）、形成方法に関する情報の受け付けに係る処理を終える。
【００４０】
図４及び図５は、画像形成に係る制御部３１の処理手順を示すフローチャートである。
制御部３１は、定期的に、記憶装置３３の所定の共有フォルダが記憶している画像データのファイル名を検出することで、記憶装置３３がＪＰＥＧ形式の画像データを記憶しているか否かを判定する（ステップＳ４１）。画像データを記憶していると判定した場合（ステップＳ４１：ＹＥＳ）、記憶装置３３が記憶している画像データを読み出して、ビットマップの画像データに復号化する（ステップＳ４２）。そして、制御部３１は、符号化した画像データを記憶装置３３に記憶させる（ステップＳ４３）。記憶装置３３が画像データを記憶していないと判定した場合（ステップＳ４１：ＮＯ）、制御部１１は、処理をステップＳ４１に戻す。
【００４１】
ステップＳ４３の処理を終えた場合、制御部３１は、画像データのファイル名から、画像データを取得した日時、ジョブＩＤ、ソート要否データ、部数、用紙サイズ、及び原稿のページ数Ｎ等の情報を取得する（ステップＳ４４）。
【００４２】
次いで、制御部３１は、取得した情報に基づいて、復号化した画像データが最終ページの画像データであるか否かを判定する（ステップＳ４５）。最終ページの画像データであると判定した場合（ステップＳ４５：ＹＥＳ）、制御部３１は、ステップＳ４２で復号化した画像データをプリンタドライバに与える（ステップＳ４６）。
【００４３】
最終ページの画像データでないと判定した場合（ステップＳ４５：ＮＯ）、制御部３１は、計時を開始する（ステップＳ４７）。そして、制御部３１は、次ページの画像データを記憶装置３３が記憶しているか否かを判定する（ステップＳ４８）。つまり、制御部３１は、同一のジョブＩＤを有し、次ページのページ数を示す画像データがあるか否かを判定する。
【００４４】
次ページの画像データがあると判定した場合（ステップＳ４８：ＹＥＳ）、制御部３１は、処理をステップＳ４２に戻す。次ページの画像データがないと判定した場合（ステップＳ４８：ＮＯ）、制御部３１は、所定時間を計時したか否かを判定する（ステップＳ４９）。所定時間を計時していないと判定した場合（ステップＳ４９：ＮＯ）、制御部３１は、処理をステップＳ４８に戻す。
【００４５】
ステップＳ４６で画像データをプリンタドライバに与えた場合、制御部３１は、ステップＳ４４で取得した部数をプリンタドライバに与える（ステップＳ５０）。そして、制御部３１は、ステップＳ４４で取得した用紙サイズをプリンタドライバに与える（ステップＳ５１）。
【００４６】
次いで、制御部３１は、ステップＳ４４で取得したソート要否データに基づいて、ソートを要するか否かを判定する（ステップＳ５２）。ソートを要すると判定した場合（ステップＳ５２：ＹＥＳ）、制御部３１は、プリンタドライバに、画像のソート形成を開始させる（ステップＳ５３）。ソートを要しないと判定した場合（ステップＳ５２：ＮＯ）、制御部３１は、プリンタドライバにノンソート形成を開始させる（ステップＳ５４）。
【００４７】
ステップＳ５３の処理を終えた場合、制御部３１は、プリンタドライバからの応答を検出することで、画像形成を終了したか否かを判定する（ステップＳ５５）。画像形成を終了していないと判定した場合（ステップＳ５５：ＮＯ）、制御部３１は、処理をステップＳ５５に戻す。
【００４８】
画像形成を終了したと判定した場合（ステップＳ５５：ＹＥＳ）、ステップＳ５４の処理を終えた場合、又はステップＳ４９で所定時間を計時したと判定した場合（ステップＳ４９：ＹＥＳ）、制御部３１は、ビットマップに変換された画像データ及び元の画像データを削除し（ステップＳ５６）、処理を終える。
【００４９】
このように構成された画像形成システムにあっては、画像の形成方法、例えば、形成する部数、用紙サイズ、及びソートを要するか否かを端末装置３に設定することを必要とせず、画像を読み取る複合機１に部数、用紙サイズ、及びソートを要するか否かを設定し、設定された形成方法で画像形成装置６に画像を形成させることができる。
【００５０】
また、外部の画像形成装置６による画像形成を制御するためのプリンタドライバを複合機１にインストールすることなく、外部の画像形成装置６に画像を形成させることができる。
【００５１】
更に、画像の形成方法に関する情報と、画像データとを別個に処理する場合に比べて、より簡易な処理で上述の効果を得ることができる。
【００５２】
なお、実施の形態にあっては、部数、用紙サイズ、及びソートを要するか否かを示す情報を含むファイル名を画像データに付すように構成してあるが、画像の形成方法に関するものであれば、他の情報、例えばカラー印刷を要するか否かを示すデータを含むファイル名を付すように構成しても良い。
【図面の簡単な説明】
【００５３】
【図１】本発明の実施の形態に係る画像形成システムの構成を示すブロック図である。
【図２】端末装置の構成を示すブロック図である。
【図３】画像の形成方法に関する情報の受け付けに係る制御部の処理手順を示すフローチャートである。
【図４】画像形成に係る制御部の処理手順を示すフローチャートである。
【図５】画像形成に係る制御部の処理手順を示すフローチャートである。
【符号の説明】
【００５４】
１  複合機
３  端末装置
４  ＬＡＮ
６  画像形成装置
７  表示装置
８  入力装置
１１  制御部
１２  ＮＣＵ
１３  読取部
１４  モデム
１５  プリンタ部
１６  画像メモリ
１７  表示部
１９  操作部
１９ａ  タッチパネル
１９ｂ  テンキー
１９ｃ  スタートキー
２１  ＬＡＮインタフェース
２２  符号化・復号化部
２３  時計部
３１  制御部
３３  記憶装置
３５  ＬＡＮインタフェース
【図１】
2007194857.tif 000003
【図２】
2007194857.tif 000004
【図３】
2007194857.tif 000005
【図４】
2007194857.tif 000006
【図５】
2007194857.tif 000007